(57)【要約】      （修正有）【課題】オートロックを鍵なしで解錠してマンションに立ち入ることができるキーレスな解錠システム、解錠操作を行う押圧機器及び解錠指令を行うアプリケーションプログラムを提供する。【解決手段】解錠システムは、居住空間内に設置された解錠機器１と、同じく居住空間内の解錠機器１に近接して設置された押圧機器２と、利用者が携行する携帯通信端末３と、居住空間外のマンションのエントランスに設置されたエントランス操作機器４と、から構成される。解錠ボタンとレバーとを近接して設置し、携帯通信端末３からの押圧機器２に対する解錠信号の送信により、押圧機器２のレバーが突出して解錠機器１の解錠ボタンを押圧操作することから、エントランスドアが一定時間開放されてマンションに立ち入ることが可能となる。なお、解錠ボタンを有効化するために、利用者はエントランス操作機器４から部屋番号を入力して呼び出しを行っておく。【選択図】図１
2020026723.tif 000002
【特許請求の範囲】
【請求項１】
押圧操作により遠隔地の扉を解錠する解錠機器と、
前記解錠機器と連動して設置されたエントランス操作機器と、
所定の動作を契機として前記解錠機器を押圧操作する押圧機器と、
前記押圧機器に前記押圧操作を実行させる解錠信号を送信する携帯通信端末と、
で構成される解錠システムであって、
前記所定の動作は、前記携帯通信端末からの前記解錠信号の受信であることを特徴とする解錠システム。
【請求項２】
押圧操作により遠隔地の扉を解錠する解錠機器と、
前記解錠機器と連動して設置されたエントランス操作機器と、
所定の動作を契機として前記解錠機器を押圧操作する押圧機器と、
前記押圧機器に前記押圧操作を実行させる解錠信号を送信する携帯通信端末と、
で構成される電子錠の解錠システムであって、
前記所定の動作は、前記携帯通信端末からの前記解錠信号の受信と、その後に発現される前記解錠機器からの状態の検知であることを特徴とする解錠システム。
【請求項３】
前記受信から前記検知までの時間が規制されており、所定時間経過後は前記押圧操作を行わないことを特徴とする請求項２記載の解錠システム。
【請求項４】
前記押圧機器と前記携帯通信端末とは、無線による電気通信回線を通じて信号の伝達を行うことを特徴とする請求項１から３のいずれか記載の解錠システム。
【請求項５】
所定の動作を契機として、遠隔地の扉を解錠する解錠機器に設けられた解錠ボタンを押圧操作する押圧機器であって、
前記所定の動作は、解錠信号の受信であることを特徴とする押圧機器。
【請求項６】
所定の動作を契機として、遠隔地の扉を解錠する解錠機器に設けられた解錠ボタンを押圧操作する押圧機器であって、
前記所定の動作は、解錠信号の受信と、その後に発現される前記解錠機器からの状態の検知であることを特徴とする押圧機器。
【請求項７】
前記受信から前記検知までの時間をカウントするタイマーを内蔵し、前記タイマーによるカウントにより所定時間経過後となったときは、前記押圧操作を行わないことを特徴とする請求項６記載の押圧機器。
【請求項８】
前記押圧機器は、無線による電気通信回線を通じて外部端末との信号の伝達を行うことを特徴とする請求項５から７のいずれか記載の押圧機器。
【請求項９】
携帯通信端末に搭載されるアプリケーションプログラムであって、
遠隔地の扉を解錠する解錠機器に設けられた解錠ボタンを押圧操作する押圧機器と前記携帯通信端末とが、無線による電気通信回線を通じて接続された状態において、
前記携帯通信端末から前記押圧機器に対して、前記解錠ボタンの押圧操作を行う解錠信号を送信することを特徴とするアプリケーションプログラム。
【請求項１０】
前記解錠信号の送信からの時間をカウントして前記携帯通信端末上に経過時間を表示することを特徴とする請求項９記載のアプリケーションプログラム。
【請求項１１】
前記カウントにより所定時間経過後となったときは、その旨を報知することを特徴とする請求項１０記載のアプリケーションプログラム。
【発明の詳細な説明】
【技術分野】
【０００１】
本発明は、鍵の解錠指令及び解錠実行を遠隔地にいながら行うことができる解錠システム、押圧機器及びアプリケーションプログラムに関する。
【背景技術】
【０００２】
マンション等のエントランスはオートロックが採用されており、来訪者がマンション内に立ち入るためには、エントランスの手前に設置された呼出装置から所望の部屋番号を入力して居住者を呼び出し、在室する居住者にエントランスドアの解錠をしてもらう必要がある。
【０００３】
一方、居住者がマンション内に立ち入るためには、エントランスの手前に設置された呼出装置に鍵を差し込むか鍵をかざすなどしてエントランスドアを解錠するのが一般的である。
【先行技術文献】
【特許文献】
【０００４】
【特許文献１】なし
【発明の概要】
【発明が解決しようとする課題】
【０００５】
しかしながら、マンションの居住者が鍵を持たずにエントランスドアを解錠してマンション内に立ち入ることができれば、鍵を所持しないキーレスシステムの進展につながる。
【０００６】
また、キーレスシステムの進展によって、鍵を持ち歩く必要がなくなり、鍵の紛失や盗難等の防止にも資することが期待できる。
【０００７】
本発明は、このような点に鑑みてなされたものであり、オートロックを鍵なしで解錠してマンションに立ち入ることができるキーレスな解錠システム、解錠操作を行う押圧機器及び解錠指令を行うアプリケーションプログラムを提供することにある。
【課題を解決するための手段】
【０００８】
上記課題を解決するために、本発明は、以下のものを提供する。
【０００９】
（１）  押圧操作により遠隔地の扉を解錠する解錠機器と、前記解錠機器と連動して設置されたエントランス操作機器と、所定の動作を契機として前記解錠機器を押圧操作する押圧機器と、前記押圧機器に前記押圧操作を実行させる解錠信号を送信する携帯通信端末と、で構成される解錠システムであって、前記所定の動作は、前記携帯通信端末からの前記解錠信号の受信であることを特徴とする解錠システム。
【００１０】
本発明によれば、解錠機器とエントランス操作機器と押圧機器と携帯通信端末とで解錠システムが構成され、携帯通信端末からの解錠信号の受信によって押圧機器が稼動することから、携帯通信端末から押圧機器に対する解錠信号の受信が可能な環境下において、キーレスでエントランスドアの開放を行うことができる。
【００１１】
（２）  押圧操作により遠隔地の扉を解錠する解錠機器と、前記解錠機器と連動して設置されたエントランス操作機器と、所定の動作を契機として前記解錠機器を押圧操作する押圧機器と、前記押圧機器に前記押圧操作を実行させる解錠信号を送信する携帯通信端末と、で構成される電子錠の解錠システムであって、前記所定の動作は、前記携帯通信端末からの前記解錠信号の受信と、その後に発現される前記解錠機器からの状態の検知であることを特徴とする解錠システム。
【００１２】
本発明によれば、解錠機器とエントランス操作機器と押圧機器と携帯通信端末とで解錠システムが構成され、携帯通信端末からの解錠信号の受信と、その後に発現される解錠機器からの状態の検知によって押圧機器が稼動することから、携帯通信端末から押圧機器に対する解錠信号の受信が可能な環境下において解錠信号の受信によって押圧機器の稼動を一旦待機させ、解錠機器からの状態の検知によって押圧機器が稼動することから、キーレスでエントランスドアの開放を行うことができる。
【００１３】
（３）  前記受信から前記検知までの時間が規制されており、所定時間経過後は前記押圧操作を行わないことを特徴とする解錠システム。
【００１４】
本発明によれば、受信から検知までの時間が所定時間内であれば押圧操作を行う一方、所定時間経過後であれば押圧操作を行わないことから、受信及び検知という２段階の条件を設定するとともに、これら２段階の条件間の時間を設定することにより、意図しない来訪者による条件の成立を防ぐことができる。例えば、利用者によって受信条件が成立し、利用者によって検知条件が成立するまでの間に来訪者によって検知条件が成立する場合もあり、この場合にエントランスドアの開放を行うことは適切ではないことから、受信から検知までの時間を規制することによって、適切な利用に資することができる。
【００１５】
（４）  前記押圧機器と前記携帯通信端末とは、無線による電気通信回線を通じて信号の伝達を行うことを特徴とする解錠システム。
【００１６】
本発明によれば、押圧機器と携帯通信端末とは、無線による電気通信回線を通じて信号の伝達（送信及び／又は受信）を行うことから、携帯通信端末によって遠隔地に設置された押圧機器に指令を与えて操作することができる。
【００１７】
（５）  所定の動作を契機として、遠隔地の扉を解錠する解錠機器に設けられた解錠ボタンを押圧操作する押圧機器であって、前記所定の動作は、解錠信号の受信であることを特徴とする押圧機器。
【００１８】
本発明によれば、携帯通信端末からの解錠信号の受信によって解錠ボタンを押圧操作する押圧機器であるから、携帯通信端末から押圧機器に対する解錠信号の受信が可能な環境下において、キーレスでエントランスドアの開放を行うことができる。
【００１９】
（６）  所定の動作を契機として、遠隔地の扉を解錠する解錠機器に設けられた解錠ボタンを押圧操作する押圧機器であって、前記所定の動作は、解錠信号の受信と、その後に発現される前記解錠機器からの状態の検知であることを特徴とする押圧機器。
【００２０】
本発明によれば、携帯通信端末からの解錠信号の受信と、その後に発現される解錠機器からの状態の検知によって解錠ボタンを押圧操作する押圧機器であるから、携帯通信端末から押圧機器に対する解錠信号の受信が可能な環境下において解錠信号の受信によって押圧機器の稼動を一旦待機させ、解錠機器からの状態の検知によって押圧機器が稼動することにより、キーレスでエントランスドアの開放を行うことができる。
【００２１】
（７）  前記受信から前記検知までの時間をカウントするタイマーを内蔵し、前記タイマーによるカウントにより所定時間経過後となったときは、前記押圧操作を行わないことを特徴とする押圧機器。
【００２２】
本発明によれば、タイマーによるカウントによって、受信から検知までの時間が所定時間内であれば押圧操作を行う一方、所定時間経過後であれば押圧操作を行わないことから、受信及び検知という２段階の条件を設定するとともに、これら２段階の条件間の時間を設定することにより、上記（３）と同様に意図しない来訪者による条件の成立を防ぐことができる。
【００２３】
（８）  前記押圧機器は、無線による電気通信回線を通じて外部端末との信号の伝達を行うことを特徴とする押圧機器。
【００２４】
本発明によれば、押圧機器と外部端末とは、無線による電気通信回線を通じて信号の伝達（送信及び／又は受信）を行うことから、遠隔地に位置する外部端末からの指令に応じて押圧機器は操作される。
【００２５】
（９）  携帯通信端末に搭載されるアプリケーションプログラムであって、遠隔地の扉を解錠する解錠機器に設けられた解錠ボタンを押圧操作する押圧機器と前記携帯通信端末とが、無線による電気通信回線を通じて接続された状態において、前記携帯通信端末から前記押圧機器に対して、前記解錠ボタンの押圧操作を行う解錠信号を送信することを特徴とするアプリケーションプログラム。
【００２６】
本発明によれば、携帯通信端末から押圧機器に対する解錠信号の送信によって押圧機器が稼動することから、携帯通信端末から押圧機器に対する解錠信号の送信が可能な環境下において、アプリケーションプログラムによってキーレスでエントランスドアの開放を行うことができる。
【００２７】
（１０）  前記解錠信号の送信からの時間をカウントして前記携帯通信端末上に経過時間を表示することを特徴とするアプリケーションプログラム。
【００２８】
本発明によれば、解錠信号の送信からの時間をカウントして携帯通信端末上に経過時間を表示することから、利用者は経過時間を知ることで、キーレスでエントランスドアの開放が可能か否かを容易に把握することができる。
【００２９】
（１１）  前記カウントにより所定時間経過後となったときは、その旨を報知することを特徴とするアプリケーションプログラム。
【００３０】
本発明によれば、所定時間経過後はキーレスでエントランスドアの開放が不可能となることから、時間経過であることを音，光，画面表示等によって報知する。
【発明の効果】
【００３１】
本発明は、既存の機器に解錠ボタンを押圧操作する押圧機器を取り付けるだけで、キーレスでエントランスドアの開放を行うことができるという効果がある。
【図面の簡単な説明】
【００３２】
【図１】本発明の実施の形態に係る解錠システムの概略構成図。
【図２】解錠機器の概要を示す図。
【図３】押圧機器の概要を示す図。
【図４】押圧機器の電気的構成を示す図。
【図５】解錠機器と押圧機器とを取り付けた状態を示す図。
【図６】エントランス操作機器の概要を示す図。
【図７】本発明の実施の形態に係る第１の解錠システムの流れ図。
【図８】本発明の実施の形態に係る第２の解錠システムの流れ図。
【発明を実施するための最良の形態】
【００３３】
以下、本発明の実施の形態について図面に基づいて説明する。本発明の実施形態における解錠システムは、マンションのエントランスドアやエレベータなどにおけるオートロックを解錠するために使用する。
【００３４】
図１は、本発明の実施の形態に係る解錠システムの概略構成図であり、居住空間内に設置された解錠機器１と、同じく居住空間内の解錠機器１に近接して設置された押圧機器２と、利用者が携行する携帯通信端末３と、居住空間外のマンションのエントランスに設置されたエントランス操作機器４と、から解錠システムが構成される。また、解錠機器１は、居住空間外のマンションのエントランスに設置されたエントランスドア５と直接的又は管理制御機構等を介して間接的に連動されている。
【００３５】
解錠機器１は、居住空間内の壁面等に既設されたインターホン（テレビモニター付きドアホン）であり、一般的には図２に示すように、利用者はテレビモニター１１を視認しながら通話ボタン１２を押圧操作してテレビモニター１１に投影された来訪者と通話を行い、エントランスドアやエレベータを解錠する場合には解錠ボタン１３を押圧操作して来訪者を招き入れることができる。なお、テレビモニター１１の近傍にはモニター設定や画像確認のための各種の操作部１４が設けられている。
【００３６】
押圧機器２は、箱型の筐体２１内に電子部材２３が搭載されており、筐体２１外に突出可能なレバー２２が設けられている。レバー２２は電子部材２３で判断された所定の動作を契機として規定の方向に突出するものであり、その電気的構成を図４に示している。
【００３７】
押圧機器２の各種機能は、筐体２１内に搭載されたマイコン等の電子部材２３によって実現され、外部からの信号の受信を行う受信部２５と、所定の動作が行われたか否かを判断する判断部２６と、所定の動作が複数ある場合の個々の動作状態を時間的に監視するカウント部２７と、所定の動作が行われたを検知する検知部２８と、所定の動作が行われた場合に解錠のための押圧操作を行う操作部２９と、から構成される。操作部２９による押圧操作は、レバー２２を稼動させることによって実現可能である。
【００３８】
図５は、解錠機器１と押圧機器２とを設置した状態を示す図であり、解錠ボタン１３とレバー２２とを近接して設置することで、レバー２２が突出した際に解錠ボタン１３を押圧操作することが可能である。解錠ボタン１３が凸型に突出している態様であれば、レバー２２を横方向に突出することで解錠ボタン１３の押圧が可能であるし、解錠ボタン１３が突出していない（凹型）態様であれば、レバー２２を横及び奥行方向に突出することで解錠ボタン１３の押圧が可能である。なお、解錠機器１と押圧機器２とは、両面粘着テープなどにより簡便に設置することができる。
【００３９】
携帯通信端末３は、携帯電話機、スマートフォン、タブレット端末など、押圧機器２との通信が可能であれば如何なるものであってもよい。押圧機器２との通信は、電気通信回線を通じて押圧操作を実行させる解錠信号を送信する目的であることから、無線によるＷＩ−ＦＩ通信やＢｌｕｅｔｏｏｔｈ通信、パケット通信、電話回線網を利用した通信などでよく、双方向による信号の送受信のみならず一方向による信号の送信であってもよい。携帯通信端末３による解錠信号の送信は、携帯通信端末３に搭載されるアプリケーションプログラムによって実行することができる。
【００４０】
図６に示すエントランス操作機器４は、解錠機器１と連動しており、操作ボタン４１によって所望の部屋番号を入力して居住者を呼び出すことにより、来訪者は居住者とマイク４２やカメラ４３を用いて通話することができる。なお、図６（Ａ）のタイプは、居住者が所持する鍵を鍵穴４４ａに差し込んでエントランスドア５を開くもの、図６（Ｂ）のタイプは、居住者が所持する鍵をセンサー４４ｂにかざしてエントランスドア５を開くものである。なお、センサー４４ｂは、エントランス操作機器４に設けられるものと、その付近に設けられてるものがある。また、エントランス操作機器４はエントランスのみならず、階下のエレベータ付近に設けられるものもある。
【００４１】
［解錠方法１］
図７は、本発明の実施の形態に係る第１の解錠システムの流れ図である。解錠システムは、マンション等に既設された解錠機器１とエントランス操作機器４とを利用して、新たに押圧機器２を解錠機器１に取り付け、利用者（居住者）が所持する携帯通信端末３を活用することによって解錠操作を可能とする。
【００４２】
解錠システムを構成する解錠機器１，押圧機器２，携帯通信端末３，エントランス操作機器４はスタンバイ状態にある。
まず、利用者は、エントランス操作機器４の前まで行き、居住する部屋番号を入力して呼び出しを行う必要がある。この呼び出しによって、解錠ボタン１３の操作が有効となる。
次に、利用者はアプリケーションを起動して携帯通信端末３から押圧機器２に解錠信号を送信すると、押圧機器２の受信部２５は解錠信号を受信する。押圧機器２の判断部２６は、受信した解錠信号が適正か否か、所定の動作に合致しているか否かを判断し、解錠すると判定した場合は操作部２８にレバー操作を指示して、レバー２２を稼動する。
レバー２２を稼動すると既に有効化されている解錠機器１の解錠ボタン１３が押圧されるので、解錠機器１からエントランスドア５に直接的又は間接的に解錠指令が伝達されて、エントランスドアが一定時間開放される。
これにより、利用者はマンション内に立ち入ることができる。
【００４３】
解錠方法１によれば、予め解錠ボタン１３を有効化するために、利用者は部屋番号を入力して呼び出しを行い、その後は、押圧機器２と携帯通信端末３との解錠信号の送信のみで解錠が可能となる。
【００４４】
［解錠方法２］
図８は、本発明の実施の形態に係る第２の解錠システムの流れ図である。解錠システムは、マンション等に既設された解錠機器１とエントランス操作機器４とを利用して、新たに押圧機器２を解錠機器１に取り付け、利用者（居住者）が所持する携帯通信端末３を活用することによって解錠操作を可能とする。
【００４５】
解錠システムを構成する解錠機器１，押圧機器２，携帯通信端末３，エントランス操作機器４はスタンバイ状態にある。
まず、利用者は、アプリケーションを起動して携帯通信端末３から押圧機器２に解錠信号を送信する。押圧機器２の受信部２５は解錠信号を受信した後、次のアクションが起きるまでの一定時間、待機状態に入る。この待機状態の時間はカウント部２７によってタイマー監視されている。
次に、利用者は、エントランス操作機器４の前まで行き、居住する部屋番号を入力して呼び出しを行う。この呼び出しによって、解錠ボタン１３の操作が有効となる。また、解錠機器１の状態に変化が起こり、例えば、スピーカー１５による呼び出し音の発報やモニター１１の画像投影による発光が発現する。これらの発報及び／又は発光などの状態を押圧機器の検知部２８が検知することで、レバー２２の稼動の判断に資することができる。
押圧機器２の判断部２６は、受信した解錠信号が適正か否か、所定の動作に合致しているか否かを判断し、解錠すると判定した場合は操作部２８にレバー操作を指示して、レバー２２を稼動する。一方、解錠信号の受信から状態の検知までの時間がタイムアップしている場合は、判断部２６は操作部２８にレバー操作を指示することなく処理を終了する。
レバー２２を稼動すると既に有効化されている解錠機器１の解錠ボタン１３が押圧されるので、解錠機器１からエントランスドア５に直接的又は間接的に解錠指令が伝達されて、エントランスドアが一定時間開放される。
これにより、利用者はマンション内に立ち入ることができる。
【００４６】
解錠方法２によれば、利用者は予め携帯通信端末３から押圧機器２に対して解錠信号を送信しておき、解錠ボタン１３を有効化するために、利用者は部屋番号を入力して呼び出しを行う。解錠信号の送信は、携帯通信端末３と押圧機器２との通信が可能となるエリア内であればよいため、前もって解錠信号を送信しておき、エントランス操作機器４の前まで行って部屋番号を入力して呼び出しをすると、即座にエントランスドア５を開放することができる。
【００４７】
解錠方法１や解錠方法２、その他の解錠方法による利用者以外による不正な解錠を防ぐためには、押圧機器２と携帯通信端末３との通信の信頼性を保つことが重要であり、解錠信号の送信時に発信者電話番号を送信したり、認証コードを送信したりして、判断部２６による判断を適正に行うことができる。また、解錠方法２のように、解錠に至るまでに複数の条件を経る場合には、複数の条件間の時間を設定するなどして、意図しない来訪者による条件の成立を防ぐことができる。
【産業上の利用可能性】
【００４８】
本発明は、既存のオートロックシステムに改変を加えることなくキーレスシステムの促進を図るものとして有用である。
【符号の説明】
【００４９】
１  解錠機器
２  押圧機器
３  携帯通信端末
４  エントランス操作機器
５  エントランスドア
【図１】
2020026723.tif 000003
【図２】
2020026723.tif 000004
【図３】
2020026723.tif 000005
【図４】
2020026723.tif 000006
【図５】
2020026723.tif 000007
【図６】
2020026723.tif 000008
【図７】
2020026723.tif 000009
【図８】
2020026723.tif 000010